(57)【要約】　　　（修正有）【課題】発光ダイオードから発せられた光が、放光部から光輝色となって放射される照明体を提供する。【解決手段】外枠１の内面に、放光部１１が外枠の上部に突出し且つ外枠の内向き鉤部２に括れ溝が係着する透光性樹脂材からなる内枠を密接して取り付け、内枠の内側に、プリント基板２１に発光ダイオード２２を列設した光源体２０を配置する。発光ダイオードの上面が内枠の鉤状部１４に係止するとともに下端の張出部２３が内枠両側壁の凹溝１５に係合して光源体が固定される。【選択図】　　図２
0003098414.tif 000002
【実用新案登録請求の範囲】
【請求項１】
帯状で略Ｕ字形に屈曲形成した外枠の内面に、円曲した放光部が外枠の上部に突出し且つ外枠上端の内向き鉤部に左右の括れ溝が係着する透光性樹脂材からなる内枠を密接して取り付けるとともに、内枠の内側に、プリント基板に発光ダイオードを列設した光源体を配置し、発光ダイオードの上面が内枠の鉤状部に係止するとともに下端張出部が内枠両側壁の凹溝に係合して光源体が固定されることを特徴とする発光ダイオード光輝色照明体。
【請求項２】
光源体に、熱収縮性合成樹脂フィルムからなるチューブを被覆してなる請求項１に記載の発光ダイオード光輝色照明体。
【考案の詳細な説明】
【０００１】
【考案の属する技術分野】
本考案は、光輝色を放射する発光ダイオード光輝色照明体に関する。
【０００２】
【従来の技術】
図５は従来技術の一例であって、底面５０を有する帯状屈曲板５１の上部に、光拡散性の添加剤を混合したアクリル製の長尺樹脂体５２を固定し、樹脂体５２の下面にプリント基板５３と一体の発光ダイオード５４を臨ませた発光ダイオード照明体である。
【０００３】
【考案が解決しようとする課題】
上記の従来技術は樹脂体５２がいわゆるムク状であり、発光ダイオード５４から発せられた光が樹脂体５２内を通過して外部へと放射されるが、樹脂部分がかなりの厚みを有するため発光ダイオード５４の光輝色がいくぶん減じられて拡散するのは否めず、それゆえ発光色が所期するほどの明るさを発揮できないという問題点と、帯状屈曲板５１内における樹脂体５２の占有空間が大きいため発光ダイオード５４と基板５３の形態が限定されたりその配置に腐心するといった不具合と、部材相互の組み立て固定手段にも煩わしい手数がかゝってコスト高になる等の諸不利があった。
【０００４】
本考案はこのような従来技術に鑑みてなされたもので、放射される光が光輝色豊かで広範な分野に妥当し、プリント基板と発光ダイオードの取り付けが容易になされるとともに全体の組み立て手数が煩雑とならず、工程を節して安価に提供できる発光ダイオード光輝色体を提供しようとするものである。
【０００５】
【課題を解決するための手段】
上記課題を解決するために本考案は、帯状で略Ｕ字形に屈曲形成した外枠１の内面に、円曲した放光部１１が外枠１の上部に突出し且つ外枠１上端の内向き鉤部２に左右の括れ溝１３が係着する透光性樹脂材からなる内枠１０を密接して取り付けるとともに、内枠１０の内側に、プリント基板２１に発光ダイオード２２を列設した光源体２０を配置し、発光ダイオード２２の上面が内枠１０の鉤状部１４に係止するとともに下端の張出部２３が内枠１０両側壁１２の凹溝１５に係合して光源体２０が固定されることを技術手段としている。
【０００６】
光源体２０に、熱収縮性合成樹脂フィルムからなるチューブ３０を被覆すると光源体２０が防水されるので耐久性が一層向上する。
【０００７】
【考案の実施の形態】
図面に基づき本考案を説明すると、１はＡＢＳ樹脂等の合成樹脂材からなる略Ｕ字形に屈曲形成した帯状の外枠で、横幅が１１ミリで高さが２５ミリ、肉厚が１ミリ程度の大きさを有し、上端左右に内向き鉤部２が形成されている。
【０００８】
１０は上記外枠１の内側に係合した等長の透光性樹脂材からなる内枠で、上端に円曲状の放光部１１を形成し、該放光部１１が外枠１の上部に突出し、両側壁１２が外枠１の内側に密接し、両側下端が外枠１の底部に臨む。放光部１１の下部左右に括れ溝１３があり、この括れ溝１３に外枠１の内向き鉤部２が係着し、外枠１と内枠１０は一体状となる。すなわち内枠１０を上方より外枠１内に押し込めば両者は合体する。而して内枠１０の前記放光部１１の内側下端は両側壁１２よりも狭まって鉤状部１４が形成され、両側壁１２の内側中間に凹溝１５が形成されている。
【０００９】
２０はプリント基板２１に円柱形の発光ダイオード２２を列設した光源体で、発光ダイオード２２は下端に鍔状の張出部２３を有し、中央下面に突出したリード２４の下端屈曲部２５が、プリント基板２１の側面より該プリント基板の内部に食い込み状に係合し、プリント基板２１の配線機構（図を省略）と結線され、プリント基板２１への電源の投入で発光ダイオード２２は発光する。
【００１０】
発光ダイオード２２の外径は内枠１０の内面の幅に密接する大きさであり、下端の張出部２３が内枠１０の両側壁１２の凹溝１５内に係合する。すなわち内枠１０は下端が開放されているため横方向への弾性があり、発光ダイオード２２をプリント基板２１とともに下方より押し込むと、鉤状部１４がストッパーとなって発光ダイオード２２の上面が係止され、同時に張出部２３が凹溝１５と係合するので内枠１０に光源体２０は固定され一体的となる。発光ダイオード２２が内枠１０に密着固定されるとプリント基板２１も不動状となるので、プリント基板２１の固定手段を特に設ける必要はない。
【００１１】
光源体２０には、あらかじめ熱収縮性合成樹脂フィルムからなる透明のチューブ３０を被せるようにすると都合がよい。チューブ３０は、加熱するとプリント基板２１と発光ダイオード２２の外面に沿って密着するので、光源体２０をそのまゝ内枠１０の内面に係合できる。光源体２０は外枠１と内枠１０によってカバーされているが、内外の枠同士の係合だけでは例えば製品を外部に直接設置するような場合にわずかの隙間でも生じると枠内に雨水等が侵入する可能性があり、光源体２０に支障を生じるおそれがある。チューブ３０は防水機能を有するので万一枠内に雨水が入っても光源体２０は保護される。
【００１２】
プリント基板２１に通電して発光ダイオード２２が点灯すると、光は内枠１０の放光部１１より外部に放射される。円曲した放光部１１の内面には発光ダイオード２２との間に空間部Ｍがあり、光はこの空間部を直進して放光部１１に至るため従来のように分厚い樹脂部分によって遮られるおそれがなく、比鮫的薄肉の円曲した放光部１１から放射された光は、従来にない光輝色を発現する。
【００１３】
【考案の効果】
本考案は、外枠の上部に突出した内枠の放光部を円曲してあり、円曲部の下方は開放状となって光源体の発光ダイオードから発せられる光が比較的肉薄の放光部から外部へと放射されるので光の透過率が良く、所期する光輝度が得られて照明体として頗る効果的であり、それゆえゲーム機器のような手元操作する装置、イルミネーションのような装飾装置等々、広範な分野の使用に妥当する。
【００１４】
光源体は、発光ダイオードを上にして内枠内に押し込むと、内枠内に形成された鉤状部に発光ダイオードの上面が係止するとともに、内枠両側壁の凹溝に下端の張出部が係合して自ら固定され、また内枠と外枠も、単に両者を対面方向に係合するのみで固定でき、煩わしい装着作業を必要とせず、また余分な部材を要しないため製品を安価に提供できる。
【００１５】
光源体に熱収縮性のチューブを被覆すると、万一内枠内に雨水ほこり等が侵入しても、プリント基板と発光ダイオードがそれらの影響を受けないですみ、汚損や配線トラブルを未然に防止できる。特に照明体を外部に設置するような場合には防錆上も有効で耐久性が所期される。
【図面の簡単な説明】
【図１】外枠と内枠の係合状態斜視図である。
【図２】内枠に光源体を取り付けた本考案の正面図である。
【図３】光源体の側面図である。
【図４】光源体にチューブを被覆した側面図である。
【図５】従来例を示す断面図である。
【符号の説明】
１　　外枠
２　　内向き鉤部
１０　内枠
１１　放光部
１２　両側壁
１３　括れ溝
１４　鉤状部
１５　凹溝
Ｍ　　空間部
２０　光源体
２１　プリント基板
２２　発光ダイオード
２３　張出部
２４　リード
２５　屈曲部
３０　チューブ
【図１】
0003098414.tif 000003
【図２】
0003098414.tif 000004
【図３】
0003098414.tif 000005
【図４】
0003098414.tif 000006
【図５】
0003098414.tif 000007